(57)【要約】【課題】  ドライバのトランジスタを確実にオン状態にして、確実にスイッチング出力回路をオン状態にするスイッチングアンプを提供すること。【解決手段】  定電圧を発生させるフォトボルカプラ３１にコンデンサＣ１が並列接続されることにより、ＰＷＭ信号のハイレベベル及びローレベルに関係なく、ドライバ１１のトランジスタＱ２をオン状態にする一定電圧をコンデンサＣ１に常に保持させる。従って、ＰＷＭ信号に応じて、トランジスタＱ２を確実にオン動作させることができる。その結果、ＰＷＭ信号に応じて、ＭＯＳＦＥＴ１５を確実にオン状態にすることができるので、スイッチングアンプ１０の出力波形を、入力信号を正確に増幅した波形とすることができ、歪みやノイズの発生を防止することができ、発振の動作不安定を防止できる。【選択図】図２
2009118447.tif 000002
【特許請求の範囲】
【請求項１】
動作電圧を供給する電圧供給回路と、
ハイレベル及びローレベルを繰り返すパルス変調信号と、該電圧供給回路からの動作電圧とが供給され、該パルス変調信号に応答して、ハイレベル及びローレベルを繰り返す駆動信号を出力する駆動手段と、
該駆動手段からの駆動信号に応答して、オン状態またはオフ状態になるスイッチング出力回路とを備え、
該駆動手段が、該パルス変調信号に応答して、オン状態又はオフ状態になる第１トランジスタと、該パルス変調信号に応答して、該第１トランジスタがオン状態のときにオフ状態になり、該第１トランジスタがオフ状態のときにオン状態になる第２トランジスタとを含み、
該電圧供給回路が、該第１トランジスタの第一電極と該第２トランジスタの第一電極との間に接続されたコンデンサと、該パルス変調信号のハイレベル及びローレベルに関係なく、該第１トランジスタをオン動作可能な定電圧を該コンデンサに常に保持させる定電圧発生手段とを含む、スイッチングアンプ。
【請求項２】
前記定電圧発生手段が、電流が流れることによって発光するＬＥＤと、該ＬＥＤが発光することにより両端に電圧が発生する複数のフォトダイオードとを含むフォトボルカプラを有し、該複数のフォトダイオードと並列に前記コンデンサが接続されている、請求項１に記載のスイッチングアンプ。
【請求項３】
前記駆動信号によって前記スイッチング出力回路がオン状態とされるとき、前記コンデンサの一端から、前記第１トランジスタ、該スイッチング出力回路を介して該コンデンサの他端にバイアス電流が流れるように構成されている、請求項１または２に記載のスイッチングアンプ。
【発明の詳細な説明】
【技術分野】
【０００１】
本発明は、スイッチングアンプに関し、詳細には、スイッチング出力回路から正確な出力信号を出力することができるスイッチングアンプに関する。
【背景技術】
【０００２】
図４は、従来のスイッチングアンプ５０の要部を示す概略回路図である。スイッチングアンプ５０は、図示しない前段のＰＷＭ回路からＰＷＭ信号が供給され、駆動信号を出力するドライバ１１と、ＭＯＳＦＥＴ１５、１６を含み、ドライバ１１からの駆動信号を受けてＭＯＳＦＥＴ１５、１６が交互にオンオフ動作し、出力信号を出力するスイッチング出力回路１２とを有する。なお、ドライバ１１については、正側のＭＯＳＦＥＴ１５を駆動する正側部分のみを記載し、負側のＭＯＳＦＥＴ１６を駆動する負側部分は正側と同様であるので、記載を省略する。
【０００３】
ドライバ１１は、トランジスタＱ１〜Ｑ４を含み、ＰＷＭ信号がハイレベルのときに、トランジスタＱ１、Ｑ２がオン状態に、Ｑ３、Ｑ４がオフ状態になり、ＭＯＳＦＥＴ１５にハイレベルの駆動信号を供給し、ＭＯＳＦＥＴ１５をオン状態にする。一方、ＰＷＭ信号がローレベルのときに、トランジスタＱ１、Ｑ２がオフ状態に、Ｑ３、Ｑ４がオン状態になり、ＭＯＳＦＥＴ１５にローレベルの駆動信号を供給し、ＭＯＳＦＥＴ１５をオフ状態にする。
【０００４】
トランジスタＱ２のエミッタと、トランジスタＱ４のエミッタとの間には、トランジスタＱ２をオン状態にするための電圧を充電するコンデンサＣ５１が接続されている。ＭＯＳＦＥＴ１５がオフ状態で、ＭＯＳＦＥＴ１６がオン状態のときに、コンデンサＣ５１の一端が接続されているスイッチング出力回路１２の出力端の電圧は負側の電源電圧−ＶＣＣになるので、コンデンサＣ５１は、負側電源電圧−ＶＣＣによって定電圧を生成するレギュレータ５１からの電圧によって充電される。一方、ＭＯＳＦＥＴ１５がオン状態で、ＭＯＳＦＥＴ１６がオフ状態のときには、スイッチング出力回路１２の出力端の電圧は正側電源電圧＋ＶＣＣになるので、レギュレータ５１によってコンデンサＣ５１は充電されない。このとき、コンデンサＣ５１の電圧は、トランジスタＱ２をオン状態とするために、バイアス電流を流すことによって放電される。すなわち、コンデンサＣ５１は、ＭＯＳＦＥＴ１５のオフ状態およびオン状態に対応して、充電および放電を繰り返すことになる。
【０００５】
ここで、電源電圧に含まれるリップルノイズを低減するために、コンデンサＣ５１の容量は大きな値が選択される。しかし、上記の通り、コンデンサＣ５１は、ＰＷＭ信号の１周期内で充電と放電を繰り返すので、コンデンサＣ５１を充電する際に、コンデンサＣ５１の容量が大きいと、時定数が大きくなり、コンデンサＣ５１にトランジスタＱ２をオン状態にするための電圧を充電するまでに時間がかかる。特に、電源オフ状態から電源オン状態にした直後は、コンデンサＣ５１には電圧が全く充電されていないので、ＭＯＳＦＥＴ１６がオン状態の間に、トランジスタＱ２をオン状態にするための電圧を十分に充電することができない。その結果、ＰＷＭ信号がハイレベルの期間に、トランジスタＱ２が完全にオン状態とならずに、ドライバ１１からＭＯＳＦＥＴ１５にハイレベルの駆動信号が十分に供給されない。従って、スイッチング出力回路１２は、ＰＷＭ信号がハイレベルの期間に、正側電源電圧＋ＶＣＣを正確に出力することができず、その結果、入力信号と異なる波形がスイッチングアンプ５０から出力されてしまい、負荷であるスピーカーからは歪みやノイズが発生するという問題がある。
【０００６】
図５Ａは、図４のスイッチングアンプ５０におけるスイッチング出力回路１２の出力波形を示すシミュレーション結果である。横軸は時間を示し、縦軸は振幅を示す。上側の波形はＬチャンネルの波形を、下側の波形はＲチャンネルの波形を示す（但し、図４のスイッチングアンプは１ｃｈ分の回路図である）。図４のスイッチングアンプによると、電源オン直後（左側部分）には正確な出力波形が出力されていないことが分かる。
【０００７】
また、電源オン状態にした直後でなくても、入力信号が低周波数かつ振幅値が正の場合には、同様の問題が生じる。図５Ｂはこの問題を説明するための波形図であり、（ａ）はスイッチングアンプ５０の出力波形を、（ｂ）はコンデンサＣ５１の充電電圧を示す。図５Ｂ（ａ）に示すように入力信号が低周波数かつ振幅値が正の場合にはスイッチングアンプ５０の出力信号のハイレベルの期間が長くローレベルの期間が短くなる。コンデンサＣ５１の充電電圧はハイレベルの期間に放電され、ローベルの期間に充電されるので、ハイレベルの期間が長すぎると図５Ｂ（ｂ）に示すようにコンデンサＣ５１の充電電圧がトランジスタＱ２をオン状態にする電圧を下回ってしまう。従って、図５Ｂ（ａ）に示すようにスイッチングアンプ５０の出力信号の立ち下がりエッジが急峻にならず、正確な出力信号にならないので、歪みやノイズの発生につながる。
【０００８】
さらに、ＭＯＳＦＥＴ１５がオン状態のときには、図４の矢印のように、バイアス電流が、正側電源電圧＋ＶＣＣ（および／またはコンデンサＣ５１）から、トランジスタＱ２、抵抗Ｒ２、Ｒ５，ＭＯＳＦＥＴ１５を介して、負荷であるスピーカーへと流れる。その結果、バイアス電流による電圧によって、スピーカーからのノイズが発生するという問題がある。スピーカーに抵抗を接続すればある程度このノイズを低減できるが、バイアス電流がスピーカーに流れるいじょうは完全に除去することはできない。さらに、レギュレータ５１から、トランジスタＱ２、ＭＯＳＦＥＴ１５，１６を介してレギュレータ５１に戻るループが形成されるが、レギュレータ５１には図示しないコンデンサやコイル等の大型の部品を有する電源回路が接続されているので、ループの面積が非常に大きくなり、ループから輻射するノイズが増大する。
【０００９】
【特許文献１】特表２００６−５２２５４１号
【特許文献２】特開２００３−２６４４３５号
【特許文献３】特開２００４−７２２７６号
【特許文献４】特開２００４−３２８４１３号
【発明の開示】
【発明が解決しようとする課題】
【００１０】
本発明は上記従来の課題を解決するためになされたものであり、その目的は、ドライバのトランジスタを確実にオン状態にして、確実にスイッチング出力回路をオン状態にするスイッチングアンプを提供することにある。
【課題を解決するための手段】
【００１１】
本発明の好ましい実施形態によりスイッチングアンプは、動作電圧を供給する電圧供給回路と、ハイレベル及びローレベルを繰り返すパルス変調信号と、該電圧供給回路からの動作電圧とが供給され、該パルス変調信号に応答して、ハイレベル及びローレベルを繰り返す駆動信号を出力する駆動手段と、該駆動手段からの駆動信号に応答して、オン状態またはオフ状態になるスイッチング出力回路とを備える。該駆動手段は、該パルス変調信号に応答して、オン状態又はオフ状態になる第１トランジスタと、該パルス変調信号に応答して、該第１トランジスタがオン状態のときにオフ状態になり、該第１トランジスタがオフ状態のときにオン状態になる第２トランジスタとを含む。該電圧供給回路は、該第１トランジスタの第一電極と該第２トランジスタの第一電極との間に接続されたコンデンサと、該パルス変調信号のハイレベル及びローレベルに関係なく、該第１トランジスタをオン動作可能な定電圧を該コンデンサに常に保持させる定電圧発生手段とを含む。
【００１２】
好ましい実施形態においては、前記定電圧発生手段は、電流が流れることによって発光するＬＥＤと、該ＬＥＤが発光することにより両端に電圧が発生する複数のフォトダイオードとを含むフォトボルカプラを有する。該複数のフォトダイオードと並列に前記コンデンサが接続されている。
【００１３】
好ましい実施形態においては、前記スイッチングアンプは、前記駆動信号によって前記スイッチング出力回路がオン状態とされるとき、前記コンデンサの一端から、前記第１トランジスタ、該スイッチング出力回路を介して該コンデンサの他端にバイアス電流が流れるように構成されている。
【発明の効果】
【００１４】
定電圧発生手段が、パルス変調信号のハイレベル及びローレベルに関係なく、駆動手段の第１トランジスタをオン状態にする一定電圧をコンデンサに常に保持させるので、パルス変調信号に応じて、第１トランジスタを確実にオン状態にすることができる。その結果、パルス変調信号に応じて、スイッチング出力回路を確実にオン状態にすることができるので、スイッチングアンプの出力波形を入力信号を正確に増幅した波形とすることができ、歪みやノイズの発生を防止することができ、発振の動作不安定を防止できる。
【００１５】
また、定電圧発生手段をフォトボルカプラによって実現することにより、ＬＥＤに流れる電流によってフォトダイオードに電圧を発生させ、その結果、コンデンサに電圧を充電するので、ＬＥＤに定電流を流すことにより、コンデンサに定電圧を常に保持させることができる。
【００１６】
また、スイッチング出力回路がオン状態とされるとき、バイアス電流がスイッチングアンプに接続される負荷へと流れずに、コンデンサの一端からその他端へと流れるように構成されているので、バイアス電流による電圧に基づいて、ノイズが発生することを防止できる。
【発明を実施するための最良の形態】
【００１７】
以下、本発明の好ましい実施形態について、図面を参照して具体的に説明するが、本発明はこれらの実施形態には限定されない。図１は、代表的なスイッチングアンプ１０の概略構成を示すブロック図である。スイッチングアンプ１０は、パルス幅変調回路２０、ドライバ１１、スイッチング出力回路１２、およびＬＰＦ（Low Pass Filter）１３を備える。スイッチングアンプ１０は、必要に応じて負帰還回路１４をさらに備える。
【００１８】
パルス幅変調回路２０は、入力信号（例えば、オーディオ信号）をパルス幅変調して、第１のＰＷＭ信号ＰＷＭ１および第２のＰＷＭ信号ＰＷＭ２を生成する。第１のＰＷＭ信号および第２のＰＷＭ信号は、ハイレベル及びローレベルを繰り返す信号であり、一方がハイレベルの信号である場合に他方がローレベルの信号である。
【００１９】
ドライバ１１は、第１のＰＷＭ信号および第２のＰＷＭ信号が入力され、スイッチング出力回路１２のスイッチ素子を駆動するための駆動信号ＤＲＶ１およびＤＲＶ２を出力する。ドライバ１１は、後述するように、電圧供給回路（図１では記載せず）からの動作電圧が供給され、ハイレベルおよびローレベルを繰り返す駆動信号を出力する。
【００２０】
スイッチング出力回路１２は、第１の電源（例えば正側電源＋ＶＣＣ）と第２の電源（例えば負側電源−ＶＣＣ）との間に接続され、駆動信号に応答して、正側電源電圧＋ＶＣＣまたは負側電源電圧−ＶＣＣを選択的に出力する。スイッチング出力回路１２は、駆動信号に応答して、オン状態またはオフ状態になるスイッチ素子（例えば、ＭＯＳＦＥＴ）１５、１６を有する。
【００２１】
ＬＰＦ１３は、スイッチング出力回路１２の出力端とスイッチングアンプ１０の出力端との間に接続され、スイッチング出力回路１２の出力信号から高周波成分を除去して、スピーカー等の負荷に出力する。ＬＰＦ１３は、例えば、コイル１７およびコンデンサ１８を有する。負帰還回路１４は、スイッチング出力回路１２の出力端とパルス幅変調回路２０の反転入力との間に接続され、スイッチング出力回路１２の出力信号に含まれる信号の歪み成分を低減する。
【００２２】
図２は、本発明の好ましい実施形態によるスイッチングアンプ１０の要部を説明する概略回路図である。図２においては、スイッチング出力回路１２、ドライバ１１、および電圧供給回路３０が記載されており、負側のＭＯＳＦＥＴ１６を駆動するためのドライバ１１の負側部分は、正側のＭＯＳＦＥＴ１５を駆動するためのドライバ１１の正側部分と同様であるので、記載を省略する。
【００２３】
ドライバ１１は、第１のＰＷＭ信号によってオンオフ動作するｎｐｎ型トランジスタＱ１、ｐｎｐ型トランジスタＱ２、ｐｎｐ型トランジスタＱ３およびｎｐｎ型トランジスタＱ４と、抵抗Ｒ１〜Ｒ５と、ダイオードＤ１とを含む。
【００２４】
ドライバ１１の接続構成を説明すると、トランジスタＱ１は、ベースに第１のＰＷＭ信号が供給され、コレクタがトランジスタＱ２のベースに接続され、かつ、抵抗Ｒ１を介してトランジスタＱ２のエミッタと電圧供給回路３０の出力（コンデンサＣ１の一端）とに接続されている。トランジスタＱ１のエミッタは、トランジスタＱ２のコレクタに接続され、かつ、抵抗Ｒ２と、抵抗Ｒ５及びダイオードＤ１の並列接続とを介して、ＭＯＳＦＥＴ１５のゲートに接続されている。
【００２５】
トランジスタＱ３は、ベースに第１のＰＷＭ信号が供給され、コレクタがトランジスタＱ４のベースに接続され、かつ、抵抗Ｒ３を介してトランジスタＱ４のエミッタと電圧供給回路３０の出力（コンデンサＣ１の他端）とスイッチング出力回路１２の出力端とに接続されている。トランジスタＱ３のエミッタは、トランジスタＱ４のコレクタに接続され、かつ、抵抗Ｒ４と、抵抗Ｒ５及びダイオードＤ１の並列接続とを介して、ＭＯＳＦＥＴ１５のゲートに接続されている。
【００２６】
電圧供給回路３０は、正側電源電圧および負側電源電圧を受けて、ドライバ１１の各トランジスタを動作させるための動作電圧を供給する回路である。電圧供給回路３０は、ＰＷＭ信号のハイレベル／ローレベル（すなわち、ＭＯＳＦＥＴ１５、１６のオンオフ状態）とは無関係に、トランジスタＱ２をオン動作可能な一定電圧を、常にドライバ１１に供給する。電圧供給回路３０は、コンデンサＣ１と、トランジスタＱ２をオン動作可能な電圧をコンデンサＣ１に常に保持させる定電圧発生手段３１とを含む。好ましくは、定電圧発生手段は、フォトカプラによって構成される。より好ましくは、定電圧発生手段３１は、フォトボルカプラによって構成される。
【００２７】
フォトボルカプラ３１は、フローティング電源としての機能を有し、ＬＥＤ３１ａと複数のフォトダイオード３１ｂとによって構成される。ＬＥＤ３１ａのアノードには正側電源電圧＋ＶＣＣ（＋２５Ｖ）が供給され、カソードには負側電源電圧−ＶＣＣ（−２５Ｖ）が供給され、ＬＥＤ３１ａに電流が流れＬＥＤ３１ａが発光することにより、フォトダイオード３１ｂの両端に電圧が発生する。フォトボルカプラは、例えば、東芝セミコンダクター社からTLP3914という品番で市販されている。
【００２８】
コンデンサＣ１は、フォトボルカプラ３１の複数のフォトトランジスタ３１ｂの両端に並列接続されており、複数のフォトトランジスタ３１ｂに発生する電圧と同じ電圧が常に充電されており、当該充電電圧をドライバ１１のトランジスタＱ２のバイアス電圧として供給する。従って、ＬＥＤ３１ａに定電流を流すことにより、フォトダイオード３１ｂに定電圧を発生させ、その結果、コンデンサＣ１に定電圧を保持させることができる。
【００２９】
好ましくは、フォトボルカプラ３１のＬＥＤ３１ａの両端に供給する電圧を正負の電源電圧から供給（すなわち、大電圧を供給）し、かつ、ＬＥＤ３１ａのアノードに直列接続された図示しない抵抗の抵抗値を大きく設定する。これにより、電源のリップル成分等に基づくＬＥＤ３１ａに流れる電流の誤差を低減することができる。その結果、フォトダイオード３１ｂの両端電圧、すなわち、コンデンサＣ１の充電電圧をきわめて良好に定電圧に保持することができる。また、フォトボルカプラ３１のＬＥＤ３１ａに定電流回路を接続して、定電流回路からＬＥＤ３１ａに定電流を流して、コンデンサＣ１に定電圧を保持させてもよい。
【００３０】
以上の構成を有するスイッチングアンプ１０について、その動作および作用を説明する。図３Ａは、スイッチングアンプ１０の動作を示す波形図であり、（ａ）はスイッチングアンプ１０（スイッチング出力回路１２）の出力波形を、（ｂ）はコンデンサＣ１の充電電圧を示す。特に（ａ）は、入力信号が低周波数かつ振幅値が正の場合を示している。電圧供給回路３０においては、フォトボルカプラ３１のＬＥＤ３１ａの両端に正負の電源電圧が供給され、ＬＥＤ３１ａは電流が流れて発光する。これにより、複数のフォトダイオード３１ｂの両端に電圧が発生し、コンデンサＣ１がフォトダイオード３１ｂの両端電圧に充電される。コンデンサＣ１の充電電圧は、フォトボルカプラ３１を介して充電され、トランジスタＱ２がオン動作可能な一定電圧（例えば９Ｖ）に常に保持されている（図３Ａ（ｂ）参照）。言い換えると、コンデンサＣ１の充電電圧は、従来と異なり、スイッチング出力回路１２のＭＯＳＦＥＴ１５のオンオフ状態に関係なく、常に一定電圧に保持される。すなわち、電源電圧がオンされた直後であっても、入力信号が低周波数かつ振幅値が正であっても、コンデンサＣ１の充電電圧は、常に一定電圧に保持される。
【００３１】
ドライバ１１においては、上記の通り、コンデンサＣ１の充電電圧がバイアス電圧として供給されており、第１のＰＷＭ信号が供給されて、ＭＯＳＦＥＴ１５に駆動信号ＤＲＶ１を出力する。つまり、第１のＰＷＭ信号がハイレベルのときに、トランジスタＱ１、Ｑ２がオン状態になり、トランジスタＱ３、Ｑ４はオフ状態になる。その結果、ドライバ１１はハイレベルの駆動信号をＭＯＳＦＥＴ１５のゲートに供給する。ＭＯＳＦＥＴ１５は、ハイレベルの駆動信号を受けてオン状態になり（この時、ＭＯＳＦＥＴ１６はオフ状態になっている）、スイッチング出力回路１２は、ハイレベルの電圧（正側電源電圧＋ＶＣＣ）を出力する。
【００３２】
ここで、図３Ａ（ｂ）に示すように、コンデンサＣ１には上記の通りトランジスタＱ２をオン動作できる電圧が常に充電されているので、第１のＰＷＭ信号がハイレベルの時には、トランジスタＱ１、Ｑ２を確実に（完全に）オン状態にすることができ、ＭＯＳＦＥＴ１５を確実に（完全に）オン状態にすることができる。その結果、第１のＰＷＭ信号がハイレベルの時に、スイッチング出力回路１２は、正の電源電圧＋ＶＣＣを正確に出力することができる。従って、負荷であるスピーカーからノイズが再生されることを防止できる。すなわち、電源電圧がオンされた直後であっても、入力信号が低周波数かつ振幅値が正のときであっても、コンデンサＣ１の充電電圧は常に一定電圧に保持されるので、図３Ａ（ａ）に示すように正確な出力信号（立ち下がりの急峻な波形）を出力することができる。
【００３３】
さらに、第１のＰＷＭ信号がハイレベルの時のバイアス電流の経路は、図２の矢印で示すとおり、コンデンサＣ１の一端からトランジスタＱ２、抵抗Ｒ２、Ｒ５、ＭＯＳＦＥＴ１５、コンデンサＣ１の他端の順に流れる。従って、バイアス電流は、従来とは異なり、負荷であるスピーカーには流れない。その結果、バイアス電流による電圧によってスピーカーからノイズが発生することを確実に防止することができる。また、フォトダイオード３１ｂは、図示しない電源回路と接続されているＬＥＤ３１ａとは絶縁されており、このバイアス電流が流れる経路（ループ）には電源回路が含まれない。従って、ループの面積を非常に小さくすることができるので、当該ループによって生じるノイズをきわめて良好に低減することができる。
【００３４】
一方、第１のＰＷＭ信号がローレベルの時には、トランジスタＱ１、Ｑ２がオフ状態になり、トランジスタＱ３、Ｑ４はオン状態になる。その結果、ドライバ１１はローレベルの駆動信号をＭＯＳＦＥＴ１５のゲートに供給する。ＭＯＳＦＥＴ１５はローレベルの駆動信号を受けてオフ状態になり（この時、負側のＭＯＳＦＥＴ１６はオン状態になっている）、スイッチング出力回路１２は、ローレベルの電圧（負側電源電圧−ＶＣＣ）を出力する。なお、このときの電流の経路を説明すると、ＭＯＳＦＥＴ１５からダイオードＤ１、抵抗Ｒ４、トランジスタＱ４へと電流が流れて、ＭＯＳＦＥＴ１５の寄生容量の電圧が放電される。
【００３５】
図３Ｂは、図２のスイッチングアンプ１０におけるスイッチング出力回路１２の出力波形を示すシミュレーション結果である。横軸は時間を示し、縦軸は振幅を示す。本例によると、常に、正確なＰＷＭ波形が出力されることが分かる。
【００３６】
以上のように、本実施形態においては、ＭＯＳＦＥＴ１５のオンオフ状態によらずに、ドライバ１１のトランジスタＱ２をオン動作させるための一定電圧を、コンデンサＣ１に常に保持させている。従って、第１のＰＷＭ信号がハイレベルのときに、ドライバ１１が確実にハイレベルの駆動信号をＭＯＳＦＥＴ１５に供給し、ＭＯＳＦＥＴ１５が確実にオン状態になることができる。また、コンデンサＣ１は、従来のように、ＰＷＭ信号の１周期の間に充電と放電とを繰り返さないので、時定数を考慮せずに、大きな容量のものを使用することができ、リップル成分を十分に除去することができる。
【００３７】
以上、本発明の好ましい実施形態について説明したが、本発明はこれらの実施形態には限定されない。なお、図２ではドライバ１１の負側部分を記載していないが、負側部分についても同様の回路が適用され得る。また、単電源（片電源）に対応する回路構成、すなわち、負側部分を備えていない回路構成であってもよい。また、ドライバ１２のトランジスタは、図２の回路構成に限定されず、ＰＷＭ信号に応じて、ＭＯＳＦＥＴ１５のゲートに駆動信号を出力できるものであればよい。すなわち、ドライバ１２は、少なくとも、トランジスタＱ２、Ｑ４を有していればよい。また、ＬＥＤ３１ａに電流を流す電圧は電源電圧に限定されない。また、フォトボルカプラ以外の任意の適切なフォトカプラが採用されてもよい。また、パルス変調信号は、ＰＷＭ信号以外の例えばＰＦＭ信号であってもよい。
【産業上の利用可能性】
【００３８】
本発明は、例えば、オーディオアンプとして特に好適に採用され得る。
【図面の簡単な説明】
【００３９】
【図１】代表的なスイッチングアンプを示す概略ブロック図である。
【図２】本発明の好ましい実施形態によるスイッチングアンプの要部を示す概略回路図である。
【図３Ａ】図２のスイッチングアンプの動作を示す波形図である。
【図３Ｂ】図２のスイッチングアンプのスイッチング出力回路の出力波形を示すシミュレーション結果である。
【図４】従来のスイッチングアンプの要部を示す概略回路図である。
【図５Ａ】図４のスイッチングアンプのスイッチング出力回路の出力波形を示すシミュレーション結果である。
【図５Ｂ】図４のスイッチングアンプの動作を示す波形図である。
【符号の説明】
【００４０】
１０          スイッチングアンプ
１１          ドライバ
１２          スイッチング出力回路
３０          電圧供給回路
３１          定電圧発生手段、フォトボルカプラ
【図１】
2009118447.tif 000003
【図２】
2009118447.tif 000004
【図３Ｂ】
2009118447.tif 000005
【図４】
2009118447.tif 000006
【図５Ａ】
2009118447.tif 000007
【図３Ａ】
2009118447.tif 000008
【図５Ｂ】
2009118447.tif 000009